(57)【要約】【課題】  少ない労力で短時間に、高枝等の被切断材を確実に切断することができる鋸用押付け具を提供すること。【解決手段】  携帯することができる高枝打ち用鎌付き鋸１１に設けられ、この鎌付き鋸１１の鋸歯１３ａよって切断される高枝９を鋸歯１３ａに押し付けるための押付け部２７と、鎌付き鋸１１に設けられ、押付け部２７が高枝９を鋸歯１３ａに押し付けるように、押付け部２７をその押し付け方向に揺動移動させることができる押付け機構２８とを備える。【選択図】      図４
2012039942.tif 000002
【特許請求の範囲】
【請求項１】
携帯することができる鋸に設けられ、前記鋸の鋸歯よって切断される被切断材を前記鋸歯に押し付けるための押付け部と、
前記鋸に設けられ、前記押付け部が被切断材を前記鋸歯に押し付けるように、前記押付け部をその押し付け方向に移動させるための押付け機構とを備えることを特徴とする鋸用押付け具。
【請求項２】
前記押付け機構は、前記押付け部を前記鋸歯に接近させる接近方向に付勢するための押付け付勢手段、又は前記押付け部を前記鋸歯に接近させる方向に移動させるための押付け操作部を備えることを特徴とする請求項１記載の鋸用押付け具。
【請求項３】
前記押付け部を前記鋸歯から離隔させる方向に移動させるための引離し操作部を備えることを特徴とする請求項１又は２記載の鋸用押付け具。
【請求項４】
前記引離し操作部は、一端部が前記押付け部と連結する操作線状体を備え、
この操作線状体を引っ張ることによって、前記押付け部を前記鋸歯から離隔させる方向に移動させることができることを特徴とする請求項３記載の鋸用押付け具。
【請求項５】
前記引離し操作部は、前記押付け部の先端部に設けられている操作突出部を備え、
この操作突出部の前記鋸歯に向かう側の内縁部は、その先端部側に向かうに従って、前記鋸歯から離隔する方向に延びるように形成されていることを特徴とする請求項３記載の鋸用押付け具。
【請求項６】
前記引離し操作部は、前記押付け部と連結する操作レバー又は操作柄を備え、
前記操作レバー又は前記操作柄を作動させることによって、前記押付け部を前記鋸歯に対して離隔する方向に移動させることができることを特徴とする請求項３記載の鋸用押付け具。
【請求項７】
前記押付け部の前記鋸歯に向かう側の内縁部には、この内縁部に沿って溝部が形成され、前記溝部は、前記押付け部を前記鋸歯に接近又は接触させた状態で、前記鋸歯を収容するように形成されていることを特徴とする請求項１乃至６のいずれかに記載の鋸用押付け具。
【請求項８】
前記鋸に対して着脱自在に取り付けられることを特徴とする請求項１乃至７のいずれかに記載の鋸用押付け具。
【請求項９】
請求項１乃至８のいずれかに記載の鋸用押付け具と、鋸歯を有する鋸部とを備えることを特徴とする押付け具付き鋸。
【請求項１０】
前記鋸部には、操作ポール、柄、又は把手が設けられていることを特徴とする請求項９記載の押付け具付き鋸。
【請求項１１】
前記鋸部は、鎌付き鋸部、チェーンソー、又は回転鋸であることを特徴とする請求項９又は１０記載の押付け具付き鋸。
【発明の詳細な説明】
【技術分野】
【０００１】
本発明は、例えば携帯することができる高枝打ち用鋸や、各種被切断材を切断するための鋸に適用することができる鋸用押付け具及び押付け具付き鋸に関する。
【背景技術】
【０００２】
高枝打ち用鎌付き鋸の一例として、図７（ａ）、（ｂ）に示すものが考えられる（例えば、特許文献１参照。）。この高枝打ち用鎌付き鋸１は、鋸歯２aが形成されている板状の鋸部２と、この鋸部２の基端部に嵌め込まれて係合する板状の基端鎌部３とを備え、これら鋸部２及び基端鎌部３は、取付け部５に３本のボルト４で取り付けられている。そして、この取付け部５には、操作ポール６が２本のボルト７で取り付けられている。
【０００３】
次に、この高枝打ち用鎌付き鋸１を使用して、生木の枝を剪定する手順を説明する。まず、作業者が操作ポール６を手で持ってこの高枝打ち用鎌付き鋸１を立てた状態にして、操作ポール６を矢印８の方向に押し上げる。このようにして、基端鎌部３の鎌刃３ａによって生木の高枝９の外周下部に切れ目を付ける。次に、鋸部２でその切れ目が付いている部分を切断して高枝９を切り落とす。これによって、生木の高枝９を、外皮の下部が切り残しとならないように、綺麗な切断面を形成して切断することができる。このように、綺麗な切断面を形成して高枝９を切断することができると、切断面を腐敗し難くすることができる。
【先行技術文献】
【特許文献】
【０００４】
【特許文献１】意匠登録第１２５５５３９号公報
【発明の概要】
【発明が解決しようとする課題】
【０００５】
しかし、上記従来の高枝打ち用鎌付き鋸１では、図７（ａ）に示すように、作業者が鋸歯２ａを使用して生木の高枝９を切断するために、鋸歯２ａを高枝９に押し付けようとしたときに、高枝９が鋸歯２ａから逃げる方向に撓むと共に、この鋸１に取り付けられている操作ポール６も撓んでしまうために、鋸歯２ａを高枝９に対して十分な押付け力で押し付けることができない場合があり、このような場合には、高枝９を鋸歯２ａで切断するためには、多くの労力が掛かるし、長時間を要することになる。そのために、このような高枝打ち作業は、重労働となっており、特に高齢者には困難な作業となっている。
【０００６】
本発明は、上記のような課題を解決するためになされたものであり、少ない労力で短時間に、高枝等の被切断材を確実に切断することができる鋸用押付け具及び押付け具付き鋸を提供することを目的としている。
【課題を解決するための手段】
【０００７】
本発明に係る鋸用押付け具は、携帯することができる鋸に設けられ、前記鋸の鋸歯よって切断される被切断材を前記鋸歯に押し付けるための押付け部と、前記鋸に設けられ、前記押付け部が被切断材を前記鋸歯に押し付けるように、前記押付け部をその押し付け方向に移動させるための押付け機構とを備えることを特徴とするものである。
【０００８】
本発明に係る鋸用押付け具によると、鋸で被切断材を切断するときに、押付け機構は、押付け部が被切断材を鋸歯に押し付けるように、この押付け部をその押し付け方向に移動させることができ、これによって、被切断材を鋸歯に押し付けることができる。従って、作業者は、被切断材を切断するときに、被切断材が鋸歯から離隔する方向に逃げない状態で、つまり、鋸歯を被切断材に押し付けた状態で、この鋸を使用して被切断材を切断することができる。
【０００９】
この発明に係る鋸用押付け具において、前記押付け機構は、前記押付け部を前記鋸歯に接近させる接近方向に付勢するための押付け付勢手段、又は前記押付け部を前記鋸歯に接近させる方向に移動させるための押付け操作部を備えるものとすることができる。
【００１０】
押付け機構が備えている押付け付勢手段によって、押付け部を鋸歯に接近させる方向に付勢するようにすると、作業者は、押付け部が被切断材を鋸歯に押し付けるようにするための労力が不要となり、少ない労力で短時間にこの鋸用押付け具が設けられている鋸を使用して被切断材を確実に切断することができる。
【００１１】
そして、作業者が、押付け機構が備えている押付け操作部を操作することによって、押付け部を鋸歯に接近させる方向に移動させるようにすると、作業者は、少ない労力で押付け部を鋸歯に接近させる方向に移動させることができる。従って、作業者は、鋸歯を被切断材に押し付けるための労力が少なくて済み、このように労力が軽減された分だけ被切断材を効率的に切断することができる。その結果、少ない労力で短時間にこの鋸を使用して被切断材を確実に切断することができる。
【００１２】
この発明に係る鋸用押付け具において、前記押付け部を前記鋸歯から離隔させる方向に移動させるための引離し操作部を備えるものとすることができる。
【００１３】
このようにすると、例えば作業者が、引離し操作部を操作することによって、押付け部を鋸歯から離隔させる方向に移動させることができる。そしてこのように、押付け部が鋸歯から離隔した状態で、被切断材を鋸歯に宛がうことができる。そして、引離し操作部の操作を解除して、押付け機構によって、押付け部が被切断材を鋸歯に押し付けるようにする。しかる後に、この鋸を使用して、被切断材を切断することができる。
【００１４】
この発明に係る鋸用押付け具において、前記引離し操作部は、一端部が前記押付け部と連結する操作線状体を備え、この操作線状体を引っ張ることによって、前記押付け部を前記鋸歯から離隔させる方向に移動させることができるものとすることができる。
【００１５】
このようにすると、例えば作業者が、操作線状体を引っ張ることによって、押付け部を鋸歯から離隔させる方向に移動させることができる。そして、押付け部が鋸歯から離隔した状態で、被切断材を鋸歯に宛がうことができる。次に、操作線状体の引っ張り力を緩める。そして、押付け機構によって、押付け部が被切断材を鋸歯に押し付けるようにする。しかる後に、この鋸を使用して、被切断材を切断することができる。
【００１６】
この発明に係る鋸用押付け具において、前記引離し操作部は、前記押付け部の先端部に設けられている操作突出部を備え、この操作突出部の前記鋸歯に向かう側の内縁部は、その先端部側に向かうに従って、前記鋸歯から離隔する方向に延びるように形成されているものとすることができる。
【００１７】
このようにすると、例えば作業者が、操作突出部の内縁部を被切断材に押し付けていくことによって、この押付け力の分力が働き、この分力によって、引離し操作部が設けられている押付け部を鋸歯から離隔させる方向に移動させることができる。そして、押付け部が鋸歯から離隔した状態で、被切断材を鋸歯に宛がうことができ、次に、押付け機構によって、押付け部が被切断材を鋸歯に押し付けるようにする。しかる後に、この鋸を使用して、被切断材を切断することができる。
【００１８】
この発明に係る鋸用押付け具において、前記引離し操作部は、前記押付け部と連結する操作レバー又は操作柄を備え、前記操作レバー又は前記操作柄を作動させることによって、前記押付け部を前記鋸歯に対して離隔する方向に移動させるものとすることができる。
【００１９】
このようにすると、例えば作業者が、操作レバー又は操作柄を操作することによって、（又は作動させることによって）、押付け部を鋸歯から離隔させる方向に移動させることができる。そして、押付け部が鋸歯から離隔した状態で、被切断材を鋸歯に宛がうことができる。
【００２０】
この発明に係る鋸用押付け具において、前記押付け部の前記鋸歯に向かう側の内縁部には、この内縁部に沿って溝部が形成され、前記溝部は、前記押付け部を前記鋸歯に接近又は接触させた状態で、前記鋸歯を収容するように形成されているものとすることができる。
【００２１】
このようにすると、この鋸を使用しないときに、押付け部を鋸歯に接近又は接触させた状態にすると、この押付け部に形成されている溝部が、鋸歯を収容することができるので、この押付け部が鋸歯に対する保護カバーとしての役目を果たすことができ、鋸歯が被切断材以外のものとの接触による鋸歯の損傷を防止できる。
【００２２】
この発明に係る鋸用押付け具において、前記鋸に対して着脱自在に取り付けられるものとすることができる。
【００２３】
このようにすると、鋸用押付け具を使用しないで鋸を使用するときは、この鋸用押付け具を鋸から着脱自在に取り外すことができる。よって、鋸用押付け具が邪魔にならないようにして、この鋸を使用して被切断材を切断することができる。そして、鋸用押付け具を使用するときは、この鋸用押付け具を鋸に取り付けて使用することができるので便利である。
【００２４】
また、この鋸用押付け具は、鋸に対して着脱自在の構成としたので、この鋸用押付け具を、例えば鋸用押付け具が取り付けられていない既製の鋸や、自己が所有している鋸に対しても、着脱自在に取り付けて使用することができる。
【００２５】
本発明に係る押付け具付き鋸は、本発明に係る鋸用押付け具と、鋸歯を有する鋸部とを備えることを特徴とするものである。
【００２６】
本発明に係る押付け具付き鋸によると、鋸で被切断材を切断するときに、鋸用押付け具は、押付け部が被切断材を鋸歯に押し付けるように、この押付け部をその押し付け方向に移動させることができ、これによって、被切断材を鋸歯に押し付けることができる。従って、作業者は、被切断材を切断するときに、被切断材が鋸歯から離隔する方向に逃げない状態で、つまり、鋸歯を被切断材に押し付けた状態で、この押付け具付き鋸を使用して被切断材を切断することができる。
【００２７】
この発明に係る押付け具付き鋸において、前記鋸部には、操作ポール、柄、又は把手が設けられているものとすることができる。
【００２８】
このようにすると、用途や使用場所等に応じた押付け具付き鋸を提供することができる。
【００２９】
この発明に係る押付け具付き鋸において、前記鋸部は、鎌付き鋸部、チェーンソー、又は回転鋸とすることができる。
【００３０】
鋸部が鎌付き鋸部であるときは、被切断材の形状、大きさ、又は性状に応じて、鋸歯又は鎌部で被切断材を切断することができる。
【００３１】
そして、鋸部がチェーンソー又は回転鋸であるときは、被切断材を、労力を掛けずに短時間で切断することができる。
【発明の効果】
【００３２】
本発明に係る鋸用押付け具及び押付け具付き鋸によると、押付け機構は、作業者が鋸で被切断材を切断するときに、被切断材が鋸歯から離隔する方向に逃げないように、押付け部が被切断材を鋸歯に押し付けるようにする構成であるので、作業者は、少ない労力で短時間に、この鋸用押付け具が設けられている鋸、又は押付け具付き鋸を使用して、少ない労力で短時間に被切断材を確実に切断することができる。
【００３３】
従って、例えば被切断材が生木の高枝であって、作業者が、鋸歯を高枝に押し付けようとしたときに、高枝が鋸歯から逃げる方向に撓むと共に、この鋸に取り付けられている操作ポールも撓んでしまうために、鋸歯を高枝に対して十分な押付け力で押し付けることができない場合であっても、本発明に係る鋸用押付け具が設けられている鋸、又は押付け具付き鋸を使用することによって、少ない労力で短時間にこの高枝（被切断材）を確実に切断することができる。
【図面の簡単な説明】
【００３４】
【図１】この発明の第１実施形態に係る押付け具付き鋸を示す図であり、（ａ）は正面図、（ｂ）は側面図である。
【図２】図１に示す押付け部が鋸部に対して閉じた状態を示す部分拡大正面図である。
【図３】図２に示す押付け部が鋸部に対して開いた状態を示す部分拡大正面図である。
【図４】図３に示す押付け部が高枝を鋸歯に押し付けている状態を示す部分拡大正面図である。
【図５】同実施形態の押付け具付き鋸が備えている押付け部を示す図であり、（ａ）は正面図、（ｂ）は平面図、（ｃ）は左側面図、（ｄ）は右側面図である。
【図６】同発明の第２実施形態に係る押付け具付き鋸が備える鋸部及び押付け部を示す図であり、（ａ）は押付け部の閉状態を示す部分拡大正面図、（ｂ）は押付け部が高枝を鋸歯に押し付けている状態を示す部分拡大正面図である。
【図７】従来の高枝打ち用鎌付き鋸を示す図であり、（ａ）は正面図、（ｂ）は側面図である。
【発明を実施するための形態】
【００３５】
以下、本発明に係る鋸用押付け具及び押付け具付き鋸の第１実施形態を、図１〜図５を参照して説明する。この押付け具付き鋸１０は、図１（ａ）、（ｂ）及び図４に示すように、携帯することができる高枝打ち用鎌付き鋸１１に対して、鋸用押付け具１２を着脱自在に取り付けて成るものであり、少ない労力で短時間にこの高枝９等の被切断材を確実に切断することができるものである。
【００３６】
この高枝打ち用鎌付き鋸１１は、図４に示すように、鋸部１３と、この鋸部１３の基端部に嵌め込まれて係合する基端鎌部１４とを備え、これら鋸部１３及び基端鎌部１４は、取付け部１５にボルト１６、１６、１６で取り付けられている。そして、この取付け部１５には、操作ポール１７がボルト１８、１８で取り付けられている。
【００３７】
鋸部１３は、図４に示すように、正面形状が円弧状に形成された板状体であり、この円弧状に形成された鋸部１３の内縁部に所定の範囲に亘っての鋸歯１３ａが形成されている。そして、鋸部１３の先端部に先端鎌部１９が形成されている。
【００３８】
先端鎌部１９は、図４に示すように、鋸部１３の鋸歯１３ａが形成されている内縁部側から、操作ポール１７に対して略直行する方向に突出し、鋸歯１３ａが形成されている側に向かう内縁部に鎌刃１９ａが形成されている。
【００３９】
基端鎌部１４は、図４に示すように、鋸部１３の基端部に嵌め込まれて係合し、先端鎌部１９と同様に、鋸部１３の鋸歯１３ａが形成されている内縁部側から、操作ポール１７に対して略直行する方向に突出している。そして、基端鎌部１４は、鋸歯１３ａが形成されている側に向かう内縁部に鎌刃１４ａが形成されている。
【００４０】
このように、先端鎌部１９及び基端鎌部１４は、図４に示すように、鋸部１３の先端部及び基端部に設けられ、鋸歯１３ａが形成されている内縁部側から同方向に突出し、これら先端鎌部１９及び基端鎌部１４の互いに向かい合う側の内縁部にそれぞれ鎌刃１９ａ、１４ａが形成されている。鋸歯１３ａは、鋸部１３の内縁部であって、先端鎌部１９と基端鎌部１４との間の所定の範囲に亘って形成されている。
【００４１】
そして、これら先端鎌部１９を有する鋸部１３、及び基端鎌部１４は、略同一の厚みに形成された板状体であり、図１（ｂ）から分かるように、基端鎌部１４を鋸部１３に嵌め込んで係合させた状態で、１枚の板状体となるように形成されている。
【００４２】
次に、図４及び図１を参照して、取付け部１５を説明する。取付け部１５は、図４及び図１から分かるように、先端部の断面形状が逆Ｕ字形状に屈曲形成されているものである。そして、その先端部の互いに対向する一対の側板１５ａ、１５ａの間には、基端鎌部１４の係合凸部２０を鋸部１３の被係合凹部２１に嵌め込んで互いに係合させた状態で、その互いに係合する係合凸部２０及び被係合凹部２１を着脱自在に装着することができる構成となっている。
【００４３】
そして、取付け部１５の先端部を形成する一対の側板１５ａ、１５ａに形成された２つの挿通孔、及びこの一対の側板１５ａ、１５ａの間に挟み込まれている鋸部１３の基端部に形成された２つの挿通孔に、それぞれボルト１６、１６を通して締め付けることによって、鋸部１３の基端部を取付け部１５の先端部に着脱自在に固定して取り付けてある。
【００４４】
また、取付け部１５の先端部を形成する一対の側板１５ａ、１５ａに形成された１つの挿通孔、及びこの一対の側板１５ａ、１５ａの間に挟み込まれている基端鎌部１４の係合凸部２０に形成された１つの挿通孔に、ボルト１６を通して締め付けることによって、基端鎌部１４を取付け部１５の先端部に着脱自在に固定して取り付けてある。
【００４５】
また、取付け部１５の基端部は、図４及び図１に示すように、２つ割の略円筒形状に形成され、この基端部に操作ポール１７の先端部を着脱自在に差し込んで取り付けることができるように構成されている。そして、操作ポール１７の先端部は、取付け部１５の基端部に差し込んだ状態で、２本のボルト１８、１８を使用してこの取付け部１５に着脱自在に取り付けられている。
【００４６】
操作ポール１７は、例えば４段式の伸縮自在のものである。そして操作ポール１７は、所望の長さに調整した状態で、３つの各ロック機構２６（図１には、１つのロック機構２６を示す。）を操作することによって、所望の長さの状態にして固定することができるようになっている。
【００４７】
次に、図２〜図５を参照して、鋸用押付け具１２を説明する。鋸用押付け具１２は、図４に示すように、押付け部２７と、押付け機構２８とを備えており、押付け機構２８が押付け部２７を所定方向２９に付勢することができるものである。この付勢力によって押付け部２７が、高枝９等の被切断材を鋸歯１３ａに対して所定の押付け力で押し付けることができ、この押し付けた状態で、作業者が、高枝打ち用鎌付き鋸１１を押引きすることによって、高枝９を少ない労力で短時間に確実に切断できるようにするものである。
【００４８】
押付け部２７は、例えば金属製又は合成樹脂製であって、図４及び図５に示すように、正面形状が円弧状に形成された板状体であり、その基端部が、基端鎌部１４とボルト３０を介して揺動自在に連結している。つまり、押付け部２７の基端部は、図５（ｂ）に示すように、互いに対向する１対の側板２７ａ、２７ａが形成され、この一対の側板２７ａ、２７ａの間には、基端鎌部１４の本体部が着脱自在に装着されている。
【００４９】
そして、押付け部２７の基端部を形成する一対の各側板２７ａ、２７ａに形成された１つの挿通孔、及びこの一対の側板２７ａ、２７ａの間に挟み込まれている基端鎌部１４に形成された１つの挿通孔には、ボルト３０が通されて締め付けられている。これによって、押付け部２７は、このボルト３０を中心にして揺動自在であって、このボルト３０によって着脱自在に基端鎌部１４に取り付けられている。
【００５０】
この押付け部２７は、図２に示す閉状態から、図３に示すように約９０°開いた開状態までの範囲に亘って揺動可能に形成されている。
【００５１】
また、押付け部２７は、図２に示すように、その内縁部が鋸歯１３ａに向かう方向に突出するよう湾曲形成され、この内縁部には、図５（ａ）〜（ｄ）に示すように、内縁部に沿って断面略Ｖ字形状の溝部３１が形成されている。更に、この溝部３１は、図２に示すように、この溝部３１の内面が鋸歯１３ａに接触又は接近した状態（押付け部２７が鋸歯１３ａに対して閉じた状態）で、鋸歯１３ａをその略全範囲に亘って収容するように形成されている。
【００５２】
このように溝部３１が形成された押付け部２７によると、この押付け具付き鋸１０を使用しないときに、図２に示すように、押付け部２７を鋸歯１３ａに接近又は接触させた閉じた状態にすると、この押付け部２７に形成されている溝部３１が、鋸歯１３ａを収容することができるので、押付け部２７が鋸歯１３ａに対する保護カバーとしての役目を果たすことができ、鋸歯１３ａが被切断材以外のものとの接触による鋸歯１３ａの損傷を防止できる。
【００５３】
次に、押付け機構２８を、図４を参照して説明する。押付け機構２８は、この押付け具付き鋸１０に設けられ、押付け部２７が高枝９等の被切断材を鋸歯１３ａに押し付けるように、押付け部２７をその押付け方向２９に付勢することができるように構成されている。この実施形態では、押付け機構２８は、引っ張りコイルばね等の押付け付勢手段３２を備えている。
【００５４】
この押付け付勢手段３２の一端部は、図４に示すように、鋸部１３を取付け部１５に取り付けているボルト１６に係合している。そして、押付け付勢手段３２の他端部は、押付け部２７の基端部に取り付けられているボルト３３に係合している。このボルト３３は、押付け部２７の基端部に形成されている係合孔に挿通して取り付けられている。
【００５５】
この押付け機構２８によると、図４に示すように、押付け付勢手段３２のばね力によって、押付け部２７が高枝９等の被切断材を鋸歯１３ａに押し付けるように、押付け部２７をその押し付け方向２９に付勢することができる。
【００５６】
次に、図４に示す引離し操作部を説明する。この引離し操作部は、操作線状体３４であり、作業者がこの操作線状体３４を引っ張ることによって、押付け部２７を鋸歯１３ａから離隔させる開方向３５に揺動移動させることができるものである。このように、押付け部２７を開方向３５に揺動移動させることによって、押付け部２７と鋸歯１３ａとの間に高枝９等の被切断材を入り込ませることができる。
【００５７】
操作線状体３４は、図１（ａ）に示すように、その一端部が押付け部２７の先端部と連結しており、その他端部が操作ポール１７の下端部よりも下方に延びている。そして、操作線状体３４の他端部には、把持部３６が取り付けられている。また、操作線状体３４の一端部と他端部との間の部分は、操作ポール１７に複数設けられている線状体ガイド３７に挿通されている。
【００５８】
また、この操作線状体３４として、例えば紐状体を使用してもよいし、ワイヤを使用してもよい。
【００５９】
次に、上記のように構成された押付け具付き鋸１０を使用して、生木の高枝９等を剪定する手順、及びこの押付け具付き鋸１０の作用を説明する。まず、作業者は、例えば図１に示す押付け具付き鋸１０の操作ポール１７を所望の長さに調整して、この操作ポール１７を手で持って押付け具付き鋸１０を立てた状態にする。次に、図３に示すように、作業者は、操作線状体３４を引っ張ることによって、押付け部２７を鋸歯１３ａから離隔させる開方向３５に約９０°揺動移動させる。このようにして、押付け部２７を鋸歯１３ａから離隔させると共に、基端鎌部１４の鎌刃１４ａに対して高枝９を宛がうことができる状態にする。
【００６０】
そして、作業者は、図３に示すように操作線状体３４を下方に引っ張った状態で、基端鎌部１４の鎌刃１４ａに対して高枝９を宛がい、その状態で、操作ポール１７を上方向に押し上げて、基端鎌部１４の鎌刃１４ａによって生木の高枝９の外周下部に切れ目を付ける。
【００６１】
そして、作業者は、操作線状体３４の引っ張り力を緩める。すると、図４に示すように、押付け機構２８の押付け付勢手段３２（引っ張りコイルばね）は、その付勢力によって、押付け部２７が高枝９を鋸歯１３ａに押し付けるように、この押付け部２７をその押し付け方向２９に自動的に揺動移動させることができ、これによって、高枝９を鋸歯１３ａに押し付けることができる。
【００６２】
従って、作業者は、高枝９を鋸歯１３ａで切断するときに、高枝９が鋸歯１３ａから離隔する方向に逃げない状態で、つまり、鋸歯１３ａを高枝９に押し付けた状態で、この押付け具付き鋸１０を使用して高枝９を切断することができる。
【００６３】
つまり、例えば被切断材が生木の高枝９であって、作業者が、鋸歯１３ａを高枝９に押し付けようとしたときに、高枝９が鋸歯１３ａから逃げる方向に撓むと共に、この押付け具付き鋸１０に取り付けられている操作ポール１７も撓んでしまうために、鋸歯１３ａを高枝９に対して十分な押付け力で押し付けることができない場合であっても、本発明に係る押付け具付き鋸１０を使用することによって、少ない労力で短時間にこの高枝９等の被切断材を確実に切断することができる。
【００６４】
このようにして、生木の枝２８を、外皮の下部が切り残しとならないように、綺麗な切断面を形成して切断することができる。このように、綺麗な切断面を形成して切断すると、切断面を腐敗し難くすることができる。
【００６５】
次に、押付け付勢手段３２のばね力の大きさについて説明する。例えば、押付け付勢手段３２のばね力が大きいために、高枝９等の被切断材を鋸歯１３ａに押し付ける力が大き過ぎる場合は、高枝９が鋸歯１３ａに引っ掛かる力が大き過ぎる状態となり、鋸歯１３ａを押引きしても、高枝９が鋸歯１３ａに伴って押引き方向に移動するので、高枝９を効率良く切断することができないことがある。
【００６６】
そして、押付け付勢手段３２のばね力が小さいために、高枝９等の被切断材を鋸歯１３ａに押し付ける力が小さ過ぎる場合は、高枝９が鋸歯１３ａに引っ掛かる力が小さ過ぎる状態となり、鋸歯１３ａを押引きしても、高枝９を効率良く切断することができないことがある。
【００６７】
従って、押付け付勢手段３２のばね力は、高枝９等の被切断材を鋸歯１３ａに押し付ける力が適切となるように設定して、高枝９が鋸歯１３ａに引っ掛かる力が適切な大きさとなるようにして、高枝９を少ない労力で短時間に切断できるようにすべきである。
【００６８】
また、図４に示すように、この押付け具付き鋸１０によれば、押付け機構２８が備えている押付け付勢手段３２（引っ張りコイルばね）によって、押付け部２７を鋸歯１３ａに接近させる方向に付勢するようにしているので、作業者は、押付け部２７が高枝９等の被切断材を鋸歯１３ａに押し付けるようにするための労力が不要となり、少ない労力で短時間にこの押付け具付き鋸１０を使用して高枝９等の被切断材を確実に切断することができる。
【００６９】
更に、図３及び図４に示すように、押付け部２７を鋸歯１３ａから離隔させる方向に移動させるための引離し操作部として、操作線状体３４を使用しているので、この引離し操作部の構造の簡単化、軽量化、操作し易さの向上、及び低廉化を図ることができ、しかも、携帯性に優れた押付け具付き鋸１０を提供することができる。
【００７０】
そして、図４に示すように、鋸用押付け具１２は、高枝打ち用鎌付き鋸１１に対して、ボルト３０によって着脱自在に取り付けられるので、鋸用押付け具１２を使用しないでこの鎌付き鋸１１を使用するときは、この鋸用押付け具１２を鎌付き鋸１１から着脱自在に取り外すことができる。よって、鋸用押付け具１２が邪魔にならないようにして、高枝９等の被切断材を切断することができる。そして、鋸用押付け具１２を使用するときは、この鋸用押付け具１２を鎌付き鋸１１にボルト３０で簡単に取り付けて使用することができるので便利である。
【００７１】
勿論、鋸用押付け具１２は、高枝打ち用鎌付き鋸１１に対して、ボルト３０によって着脱自在に取り付けた構成としたが、これ以外の構成によって、鋸用押付け具１２を高枝打ち用鎌付き鋸１１に対して着脱自在に取り付けるようにしてもよい。
【００７２】
また、この鋸用押付け具１２は、図４に示すように、鎌付き鋸１１に対して着脱自在の構成としたので、この鋸用押付け具１２を、例えば鋸用押付け具１２が取り付けられていない既製の鋸や、自己が所有している鋸に対しても、着脱自在に取り付けて使用することができる。
【００７３】
次に、本発明に係る押付け具付き鋸の第２実施形態を、図６（ａ）、（ｂ）を参照して説明する。この図６に示す第２実施形態の押付け具付き鋸３９と、図４に示す第１実施形態の押付け具付き鋸１０とが相違するところは、図４に示す第１実施形態では、引離し操作部は、操作線状体３４としたのに対して、図６に示す第２実施形態では、引離し操作部は、押付け部２７の先端部に設けられている操作突出部４０としたところと、図４に示す第１実施形態では、鋸部１３の先端部に先端鎌部１９を形成したのに対して、図６に示す第２実施形態では、鋸部１３の先端部に先端案内部４１を形成したところである。
【００７４】
これ以外は、図４に示す第１実施形態と同等の構成であり、同様に作用するので、同等部分を同一の図面符号で示し、それらの説明を省略する。
【００７５】
この図６に示す操作突出部４０（引離し操作部）は、押付け部２７の先端部に形成され、この操作突出部４０の内縁部は、その先端部側に向かうに従って、鋸歯１３ａから離隔する外側方向に延びるように形成されている。
【００７６】
また、先端案内部４１は、図６（ａ）、（ｂ）に示すように、鋸部１３の先端部に形成され、この先端案内部４１の内縁部は、その先端部側に向かうに従って、鋸部１３の鋸歯１３ａが形成されていない方の外縁部に向かう外側方向に延びるように形成されている。
【００７７】
この図６（ａ）、（ｂ）に示すように、操作突出部４０及び先端案内部４１の内縁部は、全体として略Ｌ字形状となるように形成してある。よって、例えば作業者が、図６（ａ）に示すように、操作突出部４０及び先端案内部４１のそれぞれの内縁部を高枝９等の被切断材に押し付けていくことによって、この押付け力の分力が働き、この分力によって、操作突出部４０及び先端案内部４１のそれぞれの内縁部が高枝９によって自然に押し広げられて、この操作突出部４０（引離し操作部）が設けられている押付け部２７を鋸歯１３ａから離隔させる開方向に揺動移動させることができる。
【００７８】
そして、図６（ｂ）に示すように、押付け部２７が鋸歯１３ａから離隔した状態で、高枝９等の被切断材を鋸歯１３ａに宛がうことができ、しかる後に、押付け付勢手段３２（引っ張りコイルばね）が、押付け部２７を鋸歯１３ａに向かう方向に付勢して、高枝９等の被切断材を鋸歯１３ａに押し付けることができる。このようにして、この鎌付き鋸１１を使用して、高枝９等の被切断材を切断することができる。
【００７９】
ただし、上記第１実施形態では、図３に示すように、まず、高枝９に対して、基端鎌部１４によって切れ目を付けて、しかる後に、図４に示すように、鋸歯１３ａで高枝９を切断したが、これに代えて、基端鎌部１４によって切れ目を付けずに鋸歯１３ａのみで切断してもよい。
【００８０】
そして、上記第２実施形態では、高枝９に対して、基端鎌部１４によって切れ目を付けずに鋸歯１３ａのみで切断したが、これに代えて、基端鎌部１４によって切れ目を付けて、しかる後に、鋸歯１３ａで切断してもよい。
【００８１】
また、上記実施形態では、被切断材として高枝９を例に挙げて説明したが、これ以外のものを切断するときにも、本発明に係る押付け具付き鋸１０を使用して切断することができる。
【００８２】
つまり、被切断材としての高枝９のように、鋸歯１３ａを押し付けたときに、鋸歯１３ａから逃げる方向に撓むもの以外に、或る程度剛性を有するもの（変形し難いもの）を切断するときにも使用することができる。そして、このような被切断材を切断するときでも、押付け部２７によって、被切断材（又は鋸歯１３ａ）を鋸歯１３ａ（又は被切断材）に押し付けることができるので、作業者は、少ない労力で短時間に被切断材を確実に切断することができる。
【００８３】
更に、上記実施形態では、鋸部１３に操作ポール１７を設けた例を示したが、これに代えて、鋸部１３に柄又は把手を設けてもよい。このようにすると、用途や使用場所等に応じた押付け具付き鋸を提供することができる。
【００８４】
そして、上記実施形態では、鋸用押付け具１２が設けられている鋸部１３が、鎌付き鋸１１としたが、これに代えて、鎌が付いていない鋸、チェーンソー、又は回転鋸としてもよい。
【００８５】
鋸部１３が鎌付き鋸部であるときは、被切断材の形状、大きさ、又は性状に応じて、鋸歯１３ａ又は鎌部で被切断材を切断することができる。
【００８６】
そして、鋸部がチェーンソー又は回転鋸であるときは、被切断材を、労力を掛けずに短時間で切断することができる。
【００８７】
また、上記実施形態の押付け機構２８は、図４に示すように、押付け付勢手段３２（引っ張りコイルばね）を備える構成としたが、これに代えて、図には示さないが、押付け部２７を鋸歯１３ａに接近させる方向に揺動移動させるための押付け操作部を備える構成としてもよい。この押付け操作部は、例えば操作レバー又は操作柄であり、操作ポール１７に設けることができる。
【００８８】
そして、この押付け操作部（例えば操作レバー又は操作柄）は、連結軸等（図示せず）を介して押付け部２７と連結しており、作業者が、押付け操作部を操作することによって、例えば鋏のような機構を利用して、押付け部２７を鋸歯１３ａに接近させる方向に揺動移動させることができるようになっている。
【００８９】
このようにしても、作業者は、少ない労力で押付け部２７を鋸歯１３ａに接近させる方向に揺動移動させることができる。従って、作業者は、鋸歯１３ａを被切断材に押付けるための労力が少なくて済み、このように労力が軽減された分だけ被切断材を効率的に切断することができる。その結果、少ない労力で短時間にこの鋸を使用して被切断材を確実に切断することができる。
【００９０】
更に、上記実施形態の引離し操作部は、図４に示すように、操作線状体３４を備える構成としたが、これに代えて、図には示さないが、押付け部２７と連結する例えば操作レバー又は操作柄を備えるものとし、この操作レバー又は操作柄を操作することによって（又は作動させることによって）、押付け部２７を鋸歯１３ａに対して離隔する方向に揺動移動させることができる構成としてもよい。
【００９１】
この引離し操作部（例えば操作レバー又は操作柄）は、操作ポール１７に設けられ、連結軸等（図示せず）を介して押付け部２７と連結しており、作業者が、引離し操作部を操作することによって、又は作動させることによって、例えば鋏のような機構を利用して、押付け部２７を鋸歯１３ａから離隔させる方向に揺動移動させることができるようになっている。
【００９２】
このようにすると、例えば作業者が、操作レバー又は操作柄を操作等することによって、押付け部２７を鋸歯１３ａから離隔させる方向に揺動移動させることができる。そして、押付け部２７が鋸歯１３ａから離隔した状態で、被切断材を鋸歯１３ａに宛がうことができる。
【産業上の利用可能性】
【００９３】
以上のように、本発明に係る鋸用押付け具及び押付け具付き鋸は、少ない労力で短時間に、高枝等の被切断材を確実に切断することができる優れた効果を有し、このような鋸用押付け具及び押付け具付き鋸に適用するのに適している。
【符号の説明】
【００９４】
９  高枝（被切断材）
１０  押付け具付き鋸
１１  高枝打ち用鎌付き鋸
１２  鋸用押付け具
１３  鋸部
１３ａ  鋸歯
１４  基端鎌部
１４ａ  鎌刃
１５  取付け部
１５ａ  側板
１６、１８、３０、３３  ボルト
１７  操作ポール
１９  先端鎌部
１９ａ  鎌刃
２０  係合凸部
２１  被係合凹部
２６  ロック機構
２７  押付け部
２７ａ  側板
２８  押付け機構
２９  押付け方向
３１  溝部
３２  押付け付勢手段（引っ張りコイルばね）
３４  操作線状体（引離し操作部）
３５  開方向
３６  把持部
３７  線状体ガイド
３９  押付け具付き鋸
４０  操作突出部（引離し操作部）
４１  先端案内部
【図１】
2012039942.tif 000003
【図２】
2012039942.tif 000004
【図３】
2012039942.tif 000005
【図４】
2012039942.tif 000006
【図５】
2012039942.tif 000007
【図６】
2012039942.tif 000008
【図７】
2012039942.tif 000009